(57)【特許請求の範囲】
【請求項１】
タッチパネルと、
看護師を特定する看護師特定手段と、
前記看護師特定手段により特定された前記看護師が担当する患者別にその患者に対する看護項目が記された看護師ワークシート画面を前記タッチパネルに表示する看護師ワークシート画面表示手段と、
前記看護師ワークシート画面におけるいずれかの患者の看護項目表示欄のタッチ入力により、前記タッチパネルの画面を、前記看護師ワークシート画面から、当該看護項目表示欄に表示されている項目の看護を実施する患者の看護項目一覧が記された患者ワークシート画面に切り替える患者ワークシート画面表示手段と、
前記患者ワークシート画面におけるいずれかの看護項目表示欄のタッチ入力により、前記タッチパネルの画面を、前記患者ワークシート画面から、当該看護項目表示欄に表示されている項目に対する看護を支援するための情報が記される看護支援画面に切り替える看護支援画面表示手段と、
前記看護支援画面に記された情報で支援される看護の終了指示を受け付ける終了受付手段と、
この終了受付手段により看護の終了指示を受け付けると、前記タッチパネルの画面を、前記タッチ入力された看護項目表示欄に表示されている項目の看護が終了していることを識別可能な前記患者ワークシート画面に戻す患者ワークシート画面更新手段と、
前記看護師ワークシート画面におけるいずれかの患者の患者情報表示欄のタッチ入力により、前記タッチパネルの画面を、前記看護師ワークシート画面から、当該患者情報表示欄に表示されている患者の詳細情報を表す画面に切り替える患者詳細情報表示手段と、
を具備したことを特徴とする看護師業務支援携帯端末。
【請求項２】
前記患者ワークシート画面における患者名表示欄のタッチ入力により、前記看護師が担当する全患者のリストを前記タッチパネルに表示する患者リスト表示手段と、
前記リスト内のタッチ入力により当該リストの中からいずれか１名の患者が選択されると、前記タッチパネルの画面を、選択された患者の看護項目一覧が記された患者ワークシート画面に切り替える患者ワークシート画面切替手段と、
をさらに具備したことを特徴とする請求項１記載の看護師業務支援携帯端末。
【請求項３】
前記看護支援画面は、当該項目に対する直近の看護を支援するための情報を含むことを特徴とする請求項１または２に記載の看護師業務支援携帯端末。
【請求項４】
請求項１乃至３のうちいずれか１に記載の複数の看護師業務支援携帯端末と、これら看護師業務支援携帯端末と無線または有線により通信可能なサーバとを具備し、
前記サーバは、データベースで管理される病院内の患者に関する情報及び看護師に関する情報と前記看護師業務支援携帯端末から送信される画面情報とにより、当該画面情報送信元の看護師業務支援携帯端末に表示させる画面を生成する画面生成手段と、この画面生成手段により生成される画面を前記画面情報送信元の看護師業務支援携帯端末に送信する画面送信手段と、を備えたことを特徴とする看護師業務支援システム。
【請求項５】
タッチパネルを備えた携帯型のコンピュータに、
看護師を特定させる看護師特定機能と、
前記看護師特定機能により特定された前記看護師が担当する患者別にその患者に対する看護項目が記された看護師ワークシート画面を前記タッチパネルに表示させる看護師ワークシート画面表示機能と、
前記看護師ワークシート画面におけるいずれかの患者の看護項目表示欄のタッチ入力により、前記タッチパネルの画面を、前記看護師ワークシート画面から、当該看護項目表示欄に表示されている項目の看護を実施する患者の看護項目一覧が記された患者ワークシート画面に切り替える患者ワークシート画面表示機能と、
前記患者ワークシート画面におけるいずれかの看護項目表示欄のタッチ入力により、前記タッチパネルの画面を、前記患者ワークシート画面から、当該看護項目表示欄に表示されている項目に対する看護を支援するための情報が記される看護支援画面に切り替える看護支援画面表示機能と、
前記看護支援画面に記された情報で支援される看護の終了指示を受け付ける終了受付手段と、
この終了受付手段により看護の終了指示を受け付けると、前記タッチパネルの画面を、前記タッチ入力された看護項目表示欄に表示されている項目の看護が終了していることを識別可能な前記患者ワークシート画面に戻させる患者ワークシート画面更新機能と、
前記看護師ワークシート画面におけるいずれかの患者の患者情報表示欄のタッチ入力により、前記タッチパネルの画面を、前記看護師ワークシート画面から、当該患者情報表示欄に表示されている患者の詳細情報を表す画面に切り替える患者詳細情報表示機能と、
を実現させるための看護師業務支援プログラム。
【発明の詳細な説明】
【技術分野】
【０００１】
本発明の実施形態は、看護師の看護行為を支援するための看護師業務支援システム及びこのシステムで看護師が携帯する看護師業務支援携帯端末並びにこの端末のプログラムに関する。
【背景技術】
【０００２】
看護師の看護行為を支援するための従来のシステムは、サーバとＰＤＡ（Personal Digital Assistants）を含む。サーバとＰＤＡとは、例えば無線ＬＡＮ（Local Area Network）によって接続されている。サーバは、看護師や患者に関するデータ等、システム全体で使用されるデータを記録し管理する。ＰＤＡは、看護師が患者への処置内容を確認したり、処置結果を入力したりするためのもので、看護師によって携帯される。
【０００３】
この種のＰＤＡは、様々な看護師業務のメニューをツリー構造で提示する。このため、メニューのツリー構造を理解していないと、看護師が意図する業務の画面になかなか辿りつかない。また、別画面に切り替える際にも、メニューの階層を遡る必要があり、手間がかかる。
【先行技術文献】
【特許文献】
【０００４】
【特許文献１】特開２００７−２８６７６６号公報
【発明の概要】
【発明が解決しようとする課題】
【０００５】
本発明が解決しようとする課題は、看護師にとって使い勝手がよく、看護行為を効率的に支援できる看護師業務支援携帯端末及びこの端末を用いた看護師業務支援システムを提供することにある。
【課題を解決するための手段】
【０００６】
一実施形態において、看護師業務支援携帯端末は、タッチパネルと、看護師特定手段と、看護師ワークシート画面表示手段と、患者ワークシート画面表示手段と、看護支援画面表示手段と、終了受付手段と、患者ワークシート画面更新手段と、患者詳細情報表示手段とを備える。看護師特定手段は、看護師を特定する。看護師ワークシート画面表示手段は、看護師特定手段により特定された看護師が担当する患者別にその患者に対する看護項目が記された看護師ワークシート画面をタッチパネルに表示する。患者ワークシート画面表示手段は、看護師ワークシート画面におけるいずれかの患者の看護項目表示欄のタッチ入力により、タッチパネルの画面を、看護師ワークシート画面から、当該看護項目表示欄に表示されている項目の看護を実施する患者の看護項目一覧が記された患者ワークシート画面に切り替える。看護支援画面表示手段は、患者ワークシート画面におけるいずれかの看護項目表示欄のタッチ入力により、タッチパネルの画面を、患者ワークシート画面から、当該看護項目表示欄に表示されている項目に対する看護を支援するための情報が記される看護支援画面に切り替える。終了受付手段は、看護支援画面に記された情報で支援される看護の終了指示を受け付ける。患者ワークシート画面更新手段は、タッチパネルの画面を、タッチ入力された看護項目表示欄に表示されている項目の看護が終了していることを識別可能な患者ワークシート画面に戻す。患者詳細情報表示手段は、看護師ワークシート画面におけるいずれかの患者の患者情報表示欄のタッチ入力により、タッチパネルの画面を、看護師ワークシート画面から、当該患者情報表示欄に表示されている患者の詳細情報を表す画面に切り替える。
【図面の簡単な説明】
【０００７】
【図１】一実施形態である看護師業務支援システムの全体構成図。
【図２】同システムで用いられる看護師業務支援携帯端末の外観図。
【図３】同システムで用いられる看護師業務支援携帯端末のブロック図。
【図４】同システムの機能構成を示すブロック図。
【図５】看護師業務支援携帯端末のＣＰＵが、看護師業務支援プログラムに従って実行する処理手順の主要部を示す流れ図。
【図６】看護師業務支援サーバで実行されるログイン情報受信処理の手順を示す流れ図。
【図７】看護師業務支援サーバ１２で実行される画面タッチ情報受信処理の手順を示す流れ図。
【図８】看護師業務支援携帯端末の表示入力部に表示されるログイン画面の一例を示す図。
【図９】看護師業務支援携帯端末の表示入力部に表示される看護師ワークシート画面の一例を示す図。
【図１０】看護師業務支援携帯端末の表示入力部に表示される患者詳細情報画面の一例を示す図。
【図１１】看護師業務支援携帯端末の表示入力部に表示される患者ワークシート画面の一例を示す図。
【図１２】看護師業務支援携帯端末の表示入力部に表示されるプリダウンリストの一例を示す図。
【図１３】看護師業務支援携帯端末の表示入力部に表示される項目「口腔ケア」に対する看護支援画面の一例を示す図。
【図１４】看護師業務支援携帯端末の表示入力部に表示される送信確認画面の一例を示す図。
【図１５】看護師業務支援携帯端末の表示入力部に表示される通信エラー画面の一例を示す図。
【図１６】看護師業務支援携帯端末の表示入力部に表示される送信完了画面の一例を示す図。
【図１７】看護師業務支援携帯端末の表示入力部に表示される患者ワークシート画面の一例を示す図。
【図１８】看護師業務支援携帯端末の表示入力部に表示される項目「身長／体重」に対する看護支援画面の一例を示す図。
【発明を実施するための形態】
【０００８】
以下、看護師業務支援システムの実施形態について、図面を用いて説明する。  
図１は、看護師業務支援システム１０の全体構成図である。本システム１０は、病院基幹サーバ１１と、看護師業務支援サーバ１２と、複数の無線基地局１３と、複数の看護師業務支援携帯端末１４とを含む。病院基幹サーバ１１、看護師業務支援サーバ１２及び各無線基地局１３は、有線のＬＡＮ１５によって接続されている。各看護師業務支援携帯端末１４は、バッテリを主電源とする携帯型の無線通信機器であり、各無線基地局１３との間で無線ＬＡＮ１６を構築する。
【０００９】
病院基幹サーバ１１は、患者データベース１１１、看護師データベース１１２、病室データベース１１３等の病院基幹データベース１１０を管理する。
【００１０】
患者データベース１１１には、全ての患者に関する様々なデータが記録される。詳しくは、各患者を識別するための患者ＩＤに関連付けて、患者名、性別、年齢、診療科目、疾患、主治医、入院日、退院予定日、診療履歴、処置履歴等のデータが記録される。
【００１１】
看護師データベース１１２には、全ての看護師に関する様々なデータが記録される。詳しくは、各看護師を識別するための看護師ＩＤに関連付けて、看護師名、担当診療科目、担当病室、担当患者、業務予定（日単位）、業務予定（患者単位）、業務実施結果等のデータが記録される。
【００１２】
病室データベース１１３には、各病室に関する様々なデータが記録される。詳しくは、各病室に設置されている各ベッドを識別するための病室ＩＤに関連付けて、入院患者ＩＤ、入院日、退院予定日、主治医、担当看護師ＩＤ等のデータが記録される。
【００１３】
看護師業務支援サーバ１２は、業務画面生成アプリケーションプログラム１２１を実装する。看護師業務支援サーバ１２は、業務画面生成アプリケーションプログラム１２１に従い、看護師業務支援携帯端末１４の表示部に表示させるための画面を生成する。画面は、病院基幹データベース１１０に記録されている患者、看護師、病室などに関するデータを基に、看護師業務支援携帯端末１４からの入力に応じて生成される。生成された画面データは、無線基地局１３経由で看護師業務支援携帯端末１４に無線送信される。
【００１４】
また、看護師業務支援サーバ１２は、各看護師業務支援携帯端末１４から無線送信されたデータを無線基地局１３経由で受信すると、その受信データを有線ＬＡＮ１５経由で病院基幹サーバ１１に転送する。各看護師業務支援携帯端末１４からのデータを受信した病院基幹サーバ１１は、その受信データを基に病院基幹データベース１１０のデータを適宜更新する。
【００１５】
図２及び図３は、看護師業務支援携帯端末１４の外観図とブロック図である。看護師業務支援携帯端末１４は、携帯型の本体として、図２で左側に配置される第１の部材２１と、図２で右側に配置される第２の部材２２とを備える。第１の部材２１及び第２の部材２２は、いずれも略直方体状をなしている。第２の部材２２は、ヒンジ等の止め具２３を介して第１の部材２１に回動自在に連結されている。この止め具２３により、第２の部材２２は、第１の部材２１に対して第２の部材２２を開いた状態（図２）と閉じた状態（不図示）との間で開閉動作する。
【００１６】
第１の部材２１は、第２の部材２２を第１の部材２１に対して開いたときに外側に露出される面２１Ａに、タッチパネル２４を配置している。また、図２で左側の側面２１Ｂにサイドキー２５を設けている。第２の部材２２は、この第２の部材２２を第１の部材２１に対して開いたときに外側に露出される面２２Ａに、メンブレンキーボード２６を配置している。
【００１７】
タッチパネル２４は、液晶ディスプレイ２４１の画面上にタッチパネルセンサ２４２を重ねて配置してなり、表示入力部２４Ａとテンキー部２４Ｂとに区分されている。表示入力部２４Ａには、前記看護師業務支援サーバ１２で生成される画面が表示される。テンキー部２４Ｂには、「０」〜「９」のテンキーの他、「戻る」キー、「Ｃ」のクリアキー、「更新」キー、「△」及び「▽」の上下キー、「・」の小数点キーが配置される。
【００１８】
メンブレンキーボード２６には、マトリクス状に複数の固定キーが配置されている。各固定キーには、それぞれ看護師業務を支援するための機能が割り付けられている。
【００１９】
例えば固定キー「ワークシート」には、看護師ワークシート画面を表示入力部２４Ａに表示させることを宣言するキーとしての機能が割り付けられている。固定キー「ケア」には、ケア処置入力画面を表示入力部２４Ａに表示させることを宣言するキーとしての機能が割り付けられている。固定キー「バイタル」には、バイタル情報入力画面を表示入力部２４Ａに表示させることを宣言するキーとしての機能が割り付けられている。固定キー「身長／体重」には、身長・体重入力画面を表示入力部２４Ａに表示させることを宣言するキーとしての機能が割り付けられている。
【００２０】
看護師業務支援携帯端末１４は、第１の部材２１または第２の部材２２のいずれか一方に、制御ボード３０を内蔵している。制御ボード３０には、図３に示すように、ＣＰＵ（Central Processing Unit）３１、ＲＯＭ（Read Only Memory）３２、ＲＡＭ（Random Access Memory）３３、時計部３４、無線部３５、キーコントローラ３６及びタッチパネルコントローラ３７が配置されている。ＣＰＵ３１と、ＲＯＭ３２、ＲＡＭ３３、時計部３４、無線部３５、キーコントローラ３６及びタッチパネルコントローラ３７とは、アドレスバス，データバス等のバスライン３８で接続されている。
【００２１】
ＲＯＭ３２は、看護師業務支援プログラム３２１を含むプログラムや設定データ等の固定的データを記憶する。ＲＡＭ３３は、ディスプレイ２４１に表示させる画面データや看護師業務支援サーバ１２に送信するデータ等の可変的データを記憶する。時計部３４は、現在の日付及び時刻を計時する。無線部３５は、無線基地局１３との間で無線ＬＡＮ６を利用したデータの送受信を司る。キーコントローラ３６は、前記サイドキー２５及びメンブレンキーボード２６の各固定キーを監視し、キー入力の有無を判別する。タッチパネルコントローラ３７は、前記タッチパネル２４のディスプレイ２４１に表示される画面を制御する。また、タッチパネルコントローラ３７は、タッチパネルセンサ２４２の信号により画面上のタッチ位置を示す二次元座標を検出する。
【００２２】
かかる構成の看護師業務支援携帯端末１４は、図４に示すように、看護師を特定する看護師特定手段４１と、この看護師特定手段４１により特定された看護師が担当する患者別にその患者に対する看護項目が記された看護師ワークシート画面７０をタッチパネル２４に表示する看護師ワークシート画面表示手段４２と、看護師ワークシート画面７０におけるいずれかの患者の看護項目表示欄７２のタッチ入力により、当該看護項目表示欄７２に表示されている項目の看護を実施する患者の看護項目一覧が記された患者ワークシート画面９０をタッチパネル２４に表示する患者ワークシート画面表示手段４３と、患者ワークシート画面９０におけるいずれかの看護項目表示欄９２のタッチ入力により、当該看護項目表示欄９２に表示されている項目に対する看護を支援するための情報が記される看護支援画面４００をタッチパネル２４に表示する看護支援画面表示手段４４と、看護支援画面４００に記された情報で支援される看護の終了指示を受け付ける終了受付手段４０５と、この終了受付手段４０５により看護の終了指示を受け付けると、タッチパネル２４の画面を、タッチ入力された看護項目表示欄９２に表示されている項目の看護が終了していることを識別可能な患者ワークシート画面に戻す患者ワークシート画面更新手段４６と、患者ワークシート画面９０における患者名表示欄９１のタッチ入力により、看護師が担当する全患者のリスト９４をタッチパネル２４に表示する患者リスト表示手段４７と、リスト９４内のタッチ入力により当該リスト９４の中からいずれか１名の患者が選択されると、タッチパネル２４の画面を、選択された患者の看護項目一覧が記された患者ワークシート画面９０に切り替える患者ワークシート画面切替手段４８と、看護師ワークシート画面７０におけるいずれかの患者の患者情報表示欄８１のタッチ入力により、当該患者情報表示欄８１に表示されている患者の詳細情報をタッチパネル２４に表示する患者詳細情報表示手段４９とを具備する。
【００２３】
一方、看護師業務支援サーバ１２は、病院基幹データベース１１０で管理される病院内の患者に関する情報及び看護師に関する情報と看護師業務支援携帯端末１４から送信される画面情報とにより、当該画面情報送信元の看護師業務支援携帯端末１４に表示させる画面を生成する画面生成手段５１と、この画面生成手段５１により生成される画面を画面情報送信元の看護師業務支援携帯端末１４に送信する画面送信手段５２とを具備する。
【００２４】
上述した看護師業務支援携帯端末１４及び看護師業務支援サーバ１２の各手段は、図５〜図７の流れ図及び図８〜図１８の画面表示例によって説明される。  
図５は、看護師業務支援携帯端末１４のＣＰＵ３１が、前記看護師業務支援プログラム３２１に従って実行する処理手順の主要部を示す流れ図である。図６は、上記処理手順の中で、看護師業務支援サーバ１２で実行されるログイン情報受信処理の手順を示す流れ図であり、図７は、同じく画面タッチ情報受信処理の手順を示す流れ図である。
【００２５】
図示しない電源スイッチの投入により、看護師業務支援携帯端末１４の電源がオンすると、看護師業務支援携帯端末１４では、看護師業務支援プログラム３２１が起動する。このプログラム３２１の起動により、ＣＰＵ３１は、表示入力部２４Ａにログイン画面６０を表示させる（ＳＴ１：看護師特定手段４１）。
【００２６】
ログイン画面６０の一例を図８に示す。図８に示すように、ログイン画面６０には、看護師ＩＤの入力欄６１と、パスワードの入力欄６２と、ログインボタン６３とが表示される。そこで看護師は、テンキー部２４Ｂを操作して、入力欄６１，６２に自らの看護師ＩＤとパスワードを入力し、ログインボタン６３にタッチする。
【００２７】
ログイン画面６０を表示させたＣＰＵ３１は、ログインボタン６３がタッチされるのを待機する（ＳＴ２）。タッチパネルセンサ２４２の信号によりログインボタン６３のタッチ入力を検知すると（ＳＴ２のＹＥＳ）、ＣＰＵ３１は、ログイン画面６０の各入力欄６１，６２に入力されたデータ（看護師ＩＤ、パスワード）を含むログイン情報を、無線部３５を介して看護師業務支援サーバ１２に無線送信する（ＳＴ３）。このとき、ログイン情報のヘッダには、看護師業務支援携帯端末１４毎に設定される固有の端末ＩＤが付される。
【００２８】
上記ログイン情報を受信した看護師業務支援サーバ１２では、業務画面生成アプリケーションプログラム１２１が起動する。このプログラム１２１により、看護師業務支援サーバ１２は、図６に示す手順の処理を開始する。
【００２９】
先ず、上記ログイン情報に含まれる看護師ＩＤとパスワードとから看護師を承認するか否かを判定する（ＳＴ４１）。具体的には、予め各看護師の看護師ＩＤに関連付けてパスワードが設定されており、看護師ＩＤとともに入力されたパスワードが、当該看護師ＩＤと関連付けて設定されたパスワードと一致するか否かを判定する。
【００３０】
パスワードが一致しない場合、看護師業務支援サーバ１２はログインした看護師を承認しない。この場合（ＳＴ４２のＮＯ）、看護師業務支援サーバ１２は、ログイン情報に付された端末ＩＤを送信先に指定して、ログインエラーのコマンドとログインエラー画面のデータとを送信する（ＳＴ４３）。
【００３１】
パスワードが一致する場合、看護師業務支援サーバ１２はログインした看護師を承認する。この場合（ＳＴ４２のＹＥＳ）、看護師業務支援サーバ１２は、ログイン情報に含まれる看護師ＩＤを取得する。そして、患者データベース１１１、看護師データベース１１２及び病室データベース１１３のデータを基に、当該看護師ＩＤで識別される看護師のワークシート画面７０を作成する（ＳＴ４４：画面生成手段５１）。そして、ログイン情報に付された端末ＩＤを送信先に指定して、ログイン許可のコマンドとともに看護師ワークシート画面７０のデータを送信する（ＳＴ４５：画面送信手段５２）。
【００３２】
こうして、看護師業務支援サーバ１２から送信されるコマンドと画面のデータは、無線基地局１３から無線ＬＡＮ１６を介して無線送信され、送信先に指定された端末ＩＤの看護師業務支援携帯端末１４にて受信される。
【００３３】
ステップＳＴ３にてログイン情報を送信した看護師業務支援携帯端末１４のＣＰＵ３１は、看護師業務支援サーバ１２からのコマンドを待機する（ＳＴ４）。ここで、ログインエラーのコマンドを受信した場合には（ＳＴ４のＮＯ）、ＣＰＵ３１は、表示入力部２４Ａの画面を、そのコマンドとともに受信したログインエラー画面に切り替える。
【００３４】
これに対し、ログイン許可のコマンドを受信した場合には（ＳＴ４のＹＥＳ）、ＣＰＵ３１は、表示入力部２４Ａの画面を、そのコマンドとともに受信した看護師ワークシート画面７０に切り換える（ＳＴ５：看護師ワークシート画面表示手段４２）。
【００３５】
しかる後、ＣＰＵ３１は、サイドキー２５またはメンブレンキーボード２６の固定キーが入力されるか（ＳＴ６）、画面７０がタッチ入力されるのを待機する（ＳＴ７）。タッチパネルセンサ２４２の信号により画面７０のタッチ入力を検知すると（ＳＴ７のＹＥＳ）、ＣＰＵ３１は、タッチ位置を示す座標情報を取得する。例えばＣＰＵ３１は、タッチパネル２４の左下門をＸ−Ｙ平面の原点（０，０）とし、この原点からタッチ位置までの距離を求めて、二次元座標（Ｘ，Ｙ）に変換する。そして、取得した二次元座標と表示入力部２４Ａに表示中の画面情報とを含む画面タッチ情報を、無線部３５を介して看護師業務支援サーバ１２に無線送信する（ＳＴ８）。このときも、画面タッチ情報のヘッダには端末ＩＤが付される。
【００３６】
上記画面タッチ情報を受信した看護師業務支援サーバ１２では、業務画面生成アプリケーションプログラム１２１が再び起動する。このプログラム１２１により、看護師業務支援サーバ１２は、図７に示す手順の処理を開始する。
【００３７】
先ず、看護師業務支援サーバ１２は、上記画面タッチ情報に含まれる画面情報を取得する（ＳＴ５１）。また、同画面タッチ情報に含まれるタッチ位置の二次元座標を取得する（ＳＴ５２）。そして、この二次元座標を画面情報に当て嵌めて、タッチ位置に表示されている情報を認識する（ＳＴ５３）。
【００３８】
次に、看護師業務支援サーバ１２は、前記患者データベース１１１、看護師データベース１１２及び病室データベース１１３のデータを基に、タッチ位置に表示されている情報が選択されたときの業務画面を作成する（ＳＴ５４：画面生成手段５１）。そして、上記端末ＩＤを送信先に指定して、この業務画面のデータを送信する（ＳＴ５５：画面送信手段５２）。
【００３９】
ステップＳＴ８にて画面タッチ情報を送信した看護師業務支援携帯端末１４のＣＰＵ３１は、看護師業務支援サーバ１２からの画面データを待機する（ＳＴ９）。そして、画面データを受信したならば（ＳＴ９のＹＥＳ）、ＣＰＵ３１は、表示入力部２４Ａの画面を受信データの画面に切り替える（ＳＴ１０）。しかる後、ＣＰＵ３１は再び、サイドキー２５またはメンブレンキーボード２６の固定キーが入力されるか（ＳＴ６）、画面５０がタッチされるのを待機する（ＳＴ７）。
【００４０】
ここで、看護師業務支援サーバ１２の画面生成手段５１について、図９〜図１８の画面例を用いて具体的に説明する。
【００４１】
図９は、看護師ワークシート画面７０の一例である。図９に示すように、看護師ワークシート画面７０は、画面に向かって左側が病室及び患者情報の表示欄７１となっており、右側が看護項目の表示欄７２となっている。そして表示欄７１には、ログインした看護師が担当する病室ＩＤと患者名が表示され、表示欄７２にはその患者に対する看護の処置内容を表わす項目が表示される。表示欄７１及び７２は、それぞれ患者別に領域が区切られている。
【００４２】
なお、表示入力部２４Ａの画面サイズは限られているため、ログインした看護師が担当する全ての患者の情報を１画面で表示できない場合がある。その場合には、看護師ワークシート画面７０が複数頁に区分され、前ページボタン７３または次ページボタン７４のタッチ入力により前ページまたは次ページに画面が切り替わる。
【００４３】
上記看護師ワークシート画面７０を表示中の看護師業務支援携帯端末１４において、病室・患者情報の表示欄７１がタッチ操作されたことを、この看護師業務支援携帯端末１４から送信される画面タッチ情報によって検知した場合、看護師業務支援サーバ１２は、その表示欄７１のタッチされた区画内に表示されている病室ＩＤまたは患者情報で特定される患者の詳細情報画面８０を作成する。そして、看護師業務支援サーバ１２は、上記詳細情報画面８０のデータを画面タッチ情報送信元の看護師業務支援携帯端末１４に送信する。これにより、この看護師業務支援携帯端末１４の表示入力部２４Ａの画面が詳細情報画面８０に切り替わる（患者詳細情報表示手段４９）。このとき、看護師業務支援携帯端末１４のＣＰＵ３１は、直前まで表示していた看護師ワークシート画面７０のデータをＲＡＭ３３に退避させる。
【００４４】
図１０は、詳細情報画面８０の一例である。図１０に示すように、詳細情報画面８０は、患者情報の表示欄８１と詳細情報の表示欄８２とに区分される。そして表示欄８１には、患者の病室，患者名及び性別が表示され、表示欄８２には、その患者のＩＤ，退院予定日，診療科目，主治医，血液型，アレルギー等の詳細情報が表示される。
【００４５】
また、表示欄８１には、プルダウンボタン８３が配設されており、このプルダウンボタン８３がタッチされると、ログインした看護師が担当する患者のリストがプルダウン表示される。そして、このプルダウンリストの中からいずれかの患者が選択されたことを、看護師業務支援携帯端末１４から送信される画面タッチ情報によって検知した場合、看護師業務支援サーバ１２は、その選択された患者の詳細情報画面８０を作成し、この詳細情報画面８０のデータを、看護師業務支援携帯端末１４に送信する。これにより、看護師業務支援携帯端末１４では、表示入力部２４Ａの画面が、プルダウンリストから選択した患者の詳細情報画面８０に切り替わる。
【００４６】
一方、表示欄８２には確認ボタン８４が表示されており、この確認ボタン８４がタッチ入力されると、看護師業務支援携帯端末１４のＣＰＵ３１は、表示入力部２４Ａの画面を、ＲＡＭ３３に退避させていた看護師ワークシート画面７０に戻す。
【００４７】
上記看護師ワークシート画面７０を表示中の看護師業務支援携帯端末１４において、処置項目の表示欄７２がタッチ操作されたことを、この看護師業務支援携帯端末１４から送信される画面タッチ情報によって検知した場合、看護師業務支援サーバ１２は、表示欄７２のタッチされた区画内に表示されている項目の処置を行う患者のワークシート画面９０を作成する。そして、看護師業務支援サーバ１２は、上記患者ワークシート画面９０のデータを画面タッチ情報送信元の看護師業務支援携帯端末１４に送信する。これにより、この看護師業務支援携帯端末１４の表示入力部２４Ａの画面が患者ワークシート画面９０に切り替わる（患者ワークシート画面表示手段４３）。このとき、看護師業務支援携帯端末１４のＣＰＵ３１は、直前まで表示していた看護師ワークシート画面７０のデータをＲＡＭ３３に退避させる。
【００４８】
図１１は、患者ワークシート画面９０の一例である。図１１に示すように、患者ワークシート画面９０は、患者情報の表示欄９１と看護項目の表示欄９２とに区分される。そして表示欄９１には、患者の病室，患者名及び性別が表示され、表示欄９２には、当該患者に対して看護師が行う看護行為の項目一覧が行単位に区分されて表示される。
【００４９】
また、表示欄９１には、プルダウンボタン９３が配設されており、このプルダウンボタン９３がタッチされると、図１２に示すように、ログインした看護師が担当する患者のリスト９４がプルダウン表示される（患者リスト表示手段４７）。そして、このプルダウンリスト９４の中からいずれかの患者が選択されたことを、看護師業務支援携帯端末１４から送信される画面タッチ情報によって検知した場合、看護師業務支援サーバ１２は、その選択された患者の患者ワークシート画面９０を作成し、この患者ワークシート画面９０のデータを、看護師業務支援携帯端末１４に送信する。これにより、看護師業務支援携帯端末１４では、表示入力部２４Ａの画面が、プルダウンリストから選択した患者の患者ワークシート画面９０に切り替わる（患者ワークシート画面切替手段４８）。
【００５０】
一方、表示欄９２のいずれかの行内がタッチされたことを、看護師業務支援携帯端末１４から送信される画面タッチ情報によって検知した場合、看護師業務支援サーバ１２は、その行に表示されている項目に対する看護を支援するための情報を記した看護支援画面４００を作成する。そして、看護師業務支援サーバ１２は、上記看護支援画面４００のデータを画面タッチ情報送信元の看護師業務支援携帯端末１４に送信する。これにより、この看護師業務支援携帯端末１４の表示入力部２４Ａの画面が看護支援画面４００に切り替わる（看護支援画面表示手段４４）。このとき、看護師業務支援携帯端末１４のＣＰＵ３１は、直前まで表示していた患者ワークシート画面９０のデータをＲＡＭ３３に退避させる。
【００５１】
図１３は、図１１の患者ワークシート画面９０において、看護行為項目「口腔ケア」の行がタッチされたときに表示される看護支援画面４００の一例である。看護支援画面４００は、看護行為項目の表示欄４０１と、患者情報の表示欄４０２と、看護支援情報の表示欄４０３とに区分される。また、ＯＫボタン４０４とキャンセルボタン４０５とが表示される。表示欄４０１には、選択された看護行為項目「口腔ケア」が表示され、表示欄４０２には、患者の病室，患者名及び性別が表示され、表示欄４０３には、看護行為項目「口腔ケア」を実施する時刻と実施後の操作ガイダンスとが表示される。なお、表示欄４０２にプルダウンボタンは表示されない。
【００５２】
看護師は、表示欄４０２に表示されている患者に対し、項目「口腔ケア」の看護行為を実施した場合にはＯＫボタン４０４にタッチする。すなわちＯＫボタン４０４は、看護支援画面４００に記された情報で支援される看護の終了指示を受け付ける終了受付手段４５として機能する。一方、項目「口腔ケア」の看護行為を実施しない場合にはキャンセルボタン４０５にタッチする。キャンセルボタン４０５がタッチされた場合、看護師業務支援携帯端末１４のＣＰＵ３１は、表示入力部２４Ａの画面を、ＲＡＭ３３に退避させていた患者ワークシート画面９０に戻す。
【００５３】
ＯＫボタン４０４がタッチ入力された場合には、看護師業務支援携帯端末１４のＣＰＵ３１は、看護支援画面４００の情報送信を確認するための送信確認画面５００を、表示入力部２４Ａに表示させる。
【００５４】
図１４は、図１３の看護支援画面４００において、ＯＫボタン４０４がタッチされたときに表示される送信確認画面５００の一例である。送信確認画面５００は、看護行為項目の表示欄５０１と、確認情報の表示欄５０２とに区分される。また、ＯＫボタン５０３とキャンセルボタン５０４とが表示される。
【００５５】
ここで、キャンセルボタン５０４がタッチされた場合、看護師業務支援携帯端末１４のＣＰＵ３１は、表示入力部２４Ａの画面を、ＲＡＭ３３に退避させていた患者ワークシート画面９０に戻す。
【００５６】
一方、ＯＫボタン５０３がタッチ入力された場合には、看護師業務支援携帯端末１４のＣＰＵ３１は、看護支援画面４００の情報を、無線ＬＡＮ６を経由して、看護師業務支援サーバ１２に送信する。
【００５７】
なお、看護支援画面４００の情報を、看護師業務支援サーバ１２に送信しようとしたが、例えば無線ＬＡＮ６の不具合により送信エラーとなった場合には、看護師業務支援携帯端末１４のＣＰＵ３１は、図１５に示すように、送信エラーのメッセージボックス６００を表示入力部２４Ａにポップアップ表示させる。メッセージボックス６００には、閉じるボタン６０１が表示されており、この閉じるボタン６０１がタッチされると、メッセージボックス６００は消去される。
【００５８】
看護師業務支援サーバ１２に看護支援画面４００の情報を正常に送信し終えたときには、看護師業務支援サーバ１２から画面情報送信元の看護師業務支援携帯端末１４に、送信完了画面７００のデータが送信される。これにより、看護師業務支援携帯端末１４の表示入力部２４Ａには、例えば図１６に示す内容の送信完了画面７００が表示される。
【００５９】
送信完了画面７００を表示させた後、所定の待機時間が経過すると、看護師業務支援携帯端末１４のＣＰＵ３０１は、表示入力部２４Ａの画面を、ＲＡＭ３３に退避させていた患者ワークシート画面９０に戻す。このとき、図１７に示すように、看護行為が終了した項目に対しては、看護行為の終了を示すチェックマーク９５を表示する（患者ワークシート画面更新手段４６）。
【００６０】
図１８は、図１１または図１７の患者ワークシート画面９０において、看護行為項目「身長／体重」の行がタッチされたときに表示される看護支援画面４００の一例である。この場合、看護支援情報の表示欄４０３には、看護行為項目「身長／体重」を実施する時刻と、測定値「身長」及び「体重」を入力するための入力ボックス４１１，４１２と、入力完了を宣言するためのＯＫボタン４１３とが表示される。また、表示欄４０２に表示されている患者に対する前回の測定値４１４も表示される。前回の測定値は、患者データベース１１１に蓄積保存されている。
【００６１】
そこで看護師は、患者の身長及び体重を測定した後、テンキー部２４Ｂを用いて測定値を入力ボックス４１１，４１２に入力する。そして入力後、終了受付手段４５であるＯＫボタン４０４にタッチする。そうすると、送信確認画面５００が表示されるので、ＯＫボタン５０３にタッチすると、看護支援画面４００の情報、つまりは患者の身長及び体重の測定値が、無線ＬＡＮ６を経由して、看護師業務支援サーバ１２に送信される（看護支援情報送信手段４５）。
【００６２】
上記患者の身長及び体重の測定値に関する情報は、看護師業務支援サーバ１２から病院基幹サーバ１１に転送される。そして、病院基幹サーバ１１によって、患者データベース１１１に登録される。
【００６３】
このように、看護師が看護師業務支援携帯端末１４にログインをすると、この端末１４の表示入力部２４Ａには、当該看護師が担当する患者別にその患者に対する看護項目が記された看護師ワークシート画面７０が表示される。したがって看護師は、看護師業務支援携帯端末１４にログインをするだけで、自らの業務内容を容易に確認することができる。
【００６４】
また、看護師ワークシート画面７０の表示欄７１に表示されている病室ＩＤまたは患者名にタッチすると、その患者の詳細情報画面８０が表示入力部２４Ａに表示される。その後、この詳細情報画面８０の確認ボタン８４にタッチすると、元の看護師ワークシート画面７０に戻る。したがって看護師は、看護師ワークシート画面７０上の表示欄７１にタッチするだけで、所望の患者の詳細情報を容易に確認することができる。
【００６５】
また、看護師ワークシート画面７０の表示欄７２に表示されている処置項目にタッチすると、その項目の処置を行う患者のワークシート画面９０が表示入力部２４Ａに表示される。したがって看護師は、看護師ワークシート画面７０上の表示欄７２にタッチするだけで、所望の患者のワークシートを容易に確認することができる。
【００６６】
また、患者ワークシート画面９０のいずれかの看護項目が表示されている行内をタッチすると、その項目に対する看護を支援するための情報が記される看護支援画面４００が表示入力部２４Ａに表示される。したがって看護師は、患者ワークシート画面９０上の看護項目行をタッチするだけで、その項目に対する看護を支援するための情報が記される看護支援画面４００を得ることができる。
【００６７】
さらに、看護支援画面４００で支援された看護行為が終了し、ＯＫボタンを入力すると、看護結果の情報が看護師業務支援サーバ１２に送信される。そして、表示入力部２４Ａの画面が直前の患者ワークシート画面９０に戻る。このとき、終了した看護行為の看護項目に対してチェックマーク９５が表示される。したがって、看護師は、患者ワークシート画面９０の内容から、その画面に対応した患者に対して終了した看護行為とまだ終了していない看護行為とを容易に識別することができる。
【００６８】
このように、本実施形態の看護師業務支援携帯端末１４は、ユーザがメニューのツリー構造を理解する必要がなく、また、別画面に切り替える際にも、メニューの階層を遡る必要がないので、看護師にとって使い勝手がよいものであり、また、看護行為を効率的に支援できるものである。
【００６９】
なお、前記実施形態では、ログイン画面６０、看護師ワークシート画面７０、患者詳細情報画面８０、患者ワークシート画面９０などの種々の画面の一例を図８〜図１８で示したが、これらはあくまでも一例であり、画面の表示内容やレイアウト等は、適宜変更できるものである。
【００７０】
また、前記実施形態は、看護師業務支援携帯端末１４の内部のプログラム記憶部であるＲＯＭ３２に本発明の機能を実現させる看護師業務支援プログラム３２１が予め記録されているものとした。しかしこれに限らず、同様のプログラムがネットワークから端末１４にダウンロードされてもよい。あるいは、記録媒体に記録された同様のプログラムが、端末１４にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００７１】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］  タッチパネルと、看護師を特定する看護師特定手段と、前記看護師特定手段により特定された前記看護師が担当する患者別にその患者に対する看護項目が記された看護師ワークシート画面を前記タッチパネルに表示する看護師ワークシート画面表示手段と、前記看護師ワークシート画面におけるいずれかの患者の看護項目表示欄のタッチ入力により、当該看護項目表示欄に表示されている項目の看護を実施する患者の看護項目一覧が記された患者ワークシート画面を前記タッチパネルに表示する患者ワークシート画面表示手段と、前記患者ワークシート画面におけるいずれかの看護項目表示欄のタッチ入力により、当該看護項目表示欄に表示されている項目に対する看護を支援するための情報が記される看護支援画面を前記タッチパネルに表示する看護支援画面表示手段と、前記看護支援画面に記された情報で支援される看護の終了指示を受け付ける終了受付手段と、この終了受付手段により看護の終了指示を受け付けると、前記タッチパネルの画面を、前記タッチ入力された看護項目表示欄に表示されている項目の看護が終了していることを識別可能な前記患者ワークシート画面に戻す患者ワークシート画面更新手段と、を具備したことを特徴とする看護師業務支援携帯端末。
［２］前記患者ワークシート画面における患者名表示欄のタッチ入力により、前記看護師が担当する全患者のリストを前記タッチパネルに表示する患者リスト表示手段と、前記リスト内のタッチ入力により当該リストの中からいずれか１名の患者が選択されると、前記タッチパネルの画面を、選択された患者の看護項目一覧が記された患者ワークシート画面に切り替える患者ワークシート画面切替手段と、をさらに具備したことを特徴とする付記［１］記載の看護師業務支援携帯端末。
［３］前記看護師ワークシート画面におけるいずれかの患者の患者情報表示欄のタッチ入力により、当該患者情報表示欄に表示されている患者の詳細情報を前記タッチパネルに表示する患者詳細情報表示手段、をさらに具備したことを特徴とする付記［１］または［２］記載の看護師業務支援携帯端末。
［４］前記看護支援画面は、当該項目に対する直近の看護を支援するための情報を含むことを特徴とする付記［１］乃至［３］のうちいずれか１に記載の看護師業務支援携帯端末。
［５］付記［１］乃至［４］のうちいずれか１に記載の複数の看護師業務支援携帯端末と、これら看護師業務支援携帯端末と無線または有線により通信可能なサーバとを具備し、前記サーバは、データベースで管理される病院内の患者に関する情報及び看護師に関する情報と前記看護師業務支援携帯端末から送信される画面情報とにより、当該画面情報送信元の看護師業務支援携帯端末に表示させる画面を生成する画面生成手段と、この画面生成手段により生成される画面を前記画面情報送信元の看護師業務支援携帯端末に送信する画面送信手段と、を備えたことを特徴とする看護師業務支援システム。
［６］タッチパネルを備えた携帯型のコンピュータに、看護師を特定させる看護師特定機能と、前記看護師特定機能により特定された前記看護師が担当する患者別にその患者に対する看護項目が記された看護師ワークシート画面を前記タッチパネルに表示させる看護師ワークシート画面表示機能と、前記看護師ワークシート画面におけるいずれかの患者の看護項目表示欄のタッチ入力により、当該看護項目表示欄に表示されている項目の看護を実施する患者の看護項目一覧が記された患者ワークシート画面を前記タッチパネルに表示させる患者ワークシート画面表示機能と、前記患者ワークシート画面におけるいずれかの看護項目表示欄のタッチ入力により、当該看護項目表示欄に表示されている項目に対する看護を支援するための情報が記される看護支援画面を前記タッチパネルに表示させる看護支援画面表示機能と、前記看護支援画面に記された情報で支援される看護の終了指示を受け付ける終了受付手段と、この終了受付手段により看護の終了指示を受け付けると、前記タッチパネルの画面を、前記タッチ入力された看護項目表示欄に表示されている項目の看護が終了していることを識別可能な前記患者ワークシート画面に戻させる患者ワークシート画面更新機能と、を実現させるための看護師業務支援プログラム。
【符号の説明】
【００７２】
１０…看護師業務支援システム、１１…病院基幹サーバ、１２…看護師業務支援サーバ、１３…無線基地局、１４…看護師業務支援携帯端末、２４…タッチパネル、１１０…病院基幹データベース、１２１…業務画面生成アプリケーションプログラム、３２１…看護師業務支援プログラム。
【図１】
0005538443.tif 000002
【図２】
0005538443.tif 000003
【図３】
0005538443.tif 000004
【図４】
0005538443.tif 000005
【図５】
0005538443.tif 000006
【図６】
0005538443.tif 000007
【図７】
0005538443.tif 000008
【図８】
0005538443.tif 000009
【図９】
0005538443.tif 000010
【図１０】
0005538443.tif 000011
【図１１】
0005538443.tif 000012
【図１２】
0005538443.tif 000013
【図１３】
0005538443.tif 000014
【図１４】
0005538443.tif 000015
【図１５】
0005538443.tif 000016
【図１６】
0005538443.tif 000017
【図１７】
0005538443.tif 000018
【図１８】
0005538443.tif 000019